(57)【要約】【課題】網戸等の機能面材の脱落を防止しつつ円滑かつ確実に着脱することができる建具を提供すること。【解決手段】網戸４の取り付けや取り外しに際して、脱落防止部材２０によって網戸４の脱落が防止できるとともに、傾斜状態において、脱落防止部材２０の角部２４Ａ、傾斜片部２４および突出片部２３の順で縦枠見付け面部７２に当接させることで、網戸４の下框４２と障子の下框との干渉を防止することができ、円滑かつ確実に網戸４の取付作業や取外作業を実施することができる。さらに、網戸４の取り付けに際して、脱落防止部材２０の角部２５Ａおよび底片部２５の順で下枠見込み面部６３に当接させることで、網戸４を上下方向に位置決めすることができ、取付作業をさらに円滑に実施することができる。【選択図】図６
2011190600.tif 000002
【特許請求の範囲】
【請求項１】
外壁開口部に固定される枠体と、この枠体に開放可能に支持される面材と、この面材よりも屋外側にて前記枠体に取り付けられる機能面材とを備えた建具であって、
前記枠体は、上枠、下枠および左右の縦枠を有して構成され、これら四周の枠材のうち互いに対向して配置される一対の枠材には、見付け方向内側に延びる見付け面部が形成され、
前記機能面材における前記一対の枠材に対向する対向辺には、前記見付け面部に屋内側から当接して係止される脱落防止手段が設けられ、
前記脱落防止手段は、前記機能面材の対向辺から見付け方向外側に延びて設けられる第１当接部と、この第１当接部から当該対向辺に沿った一方側に所定距離だけ離隔して設けられる第２当接部とを少なくとも有して構成され、
前記第１当接部は、前記機能面材を前記枠体に取り付けた取付状態において、前記見付け面部に当接可能に構成され、
前記第２当接部は、前記機能面材を前記枠体に対して着脱する際に当該機能面材における前記対向辺と交差する一方側の端辺を屋外側とし他方側の端辺を屋内側として傾斜させた傾斜状態において、前記見付け面部に当接可能に構成されている建具。
【請求項２】
前記第２当接部は、前記第１当接部よりも所定距離だけ屋内側に位置して設けられ、前記脱落防止手段は、前記第１当接部と前記第２当接部とに渡って連続する第１連続部を有し、この第１連続部は、前記傾斜状態において、前記見付け面部に当接可能に構成されている請求項１に記載の建具。
【請求項３】
前記脱落防止手段は、前記第２当接部よりも屋内側に設けられる第３当接部を有し、この第３当接部は、前記傾斜状態において、前記一対の枠材に交差する一方側の枠材における見込み面に見付け方向内側から当接可能に構成されている請求項１または請求項２に記載の建具。
【請求項４】
前記脱落防止手段は、前記第２当接部と前記第３当接部とに渡って連続する第２連続部を有し、この第２連続部は、前記取付状態において、前記一対の枠材に交差する一方側の枠材における見込み面に見付け方向内側から当接可能に構成されている請求項３に記載の建具。
【請求項５】
前記脱落防止手段は、前記第３当接部よりも屋内側に設けられる第４当接部を有し、この第４当接部は、前記取付状態において、前記一対の枠材に交差する一方側の枠材における見付け面に屋外側から当接可能に構成されている請求項３または請求項４に記載の建具。
【請求項６】
前記脱落防止手段は、前記第１当接部と前記第２当接部とに渡って連続する第１連続部と、前記第２当接部と前記第３当接部とに渡って連続する第２連続部と、前記第３当接部と前記第４当接部とに渡って連続する第３連続部とが、互いに連続して一体に形成された脱落防止部材で構成され、この脱落防止部材が前記機能面材の対向辺に固定されている請求項５に記載の建具。
【発明の詳細な説明】
【技術分野】
【０００１】
本発明は、建具に関し、詳しくは、外壁開口部に固定される枠体と、この枠体に開閉可能に支持される面材と、この面材よりも屋外側に取り付けられる機能面材とを備えた建具に関する。
【背景技術】
【０００２】
従来、屋内側に回動して開放可能な障子を有した内倒し窓等の建具において、障子の開閉と干渉しないように、網戸等の機能面材は、障子よりも屋外側にて窓枠に取り付けられることが一般的である。このような建具が建物外壁開口部に設けられる場合には、屋外側から網戸等を着脱するのが困難となることから、屋内側から着脱可能とする網戸の固定構造が提案されている（例えば、特許文献１、２参照）。
特許文献１、２に記載された内倒し窓の網戸固定構造は、網戸の縦框下部から側方に突出する一対のロッドと、左右の縦枠に形成された外部長足フィンとを備え、ロッドを外部長足フィンに当接させることで、脱落を防止しつつ網戸を窓枠に固定することができるように構成されている。
【先行技術文献】
【特許文献】
【０００３】
【特許文献１】実公昭６０−４０７９１号公報
【特許文献２】実公昭６３−２２２９３号公報
【発明の概要】
【発明が解決しようとする課題】
【０００４】
しかしながら、前記特許文献１、２に記載されたような従来の建具では、網戸を窓枠に固定した取付状態、および窓枠に取り付ける際に網戸の下部を屋外側に向けて傾斜させた傾斜状態、のいずれの状態においてもロッドが外部長足フィンに当接するように構成されている。このような構成では、取付状態と傾斜状態とで網戸の下部が略同一の見込み位置にあり、取り付けや取り外しに際し、外部長足フィンに沿った略同一の見込み位置を網戸の下部が上下に移動することとなる。このため、従来の建具では、障子を屋内側に開放した状態で網戸を窓枠に取り付ける（または取り外す）場合に、網戸の下部が障子の下部と干渉してしまい、網戸の着脱が困難になるという問題がある。
【０００５】
本発明の目的は、網戸等の機能面材の脱落を防止しつつ円滑かつ確実に着脱することができる建具を提供することにある。
【課題を解決するための手段】
【０００６】
本発明の建具は、外壁開口部に固定される枠体と、この枠体に開放可能に支持される面材と、この面材よりも屋外側にて前記枠体に取り付けられる機能面材とを備えた建具であって、前記枠体は、上枠、下枠および左右の縦枠を有して構成され、これら四周の枠材のうち互いに対向して配置される一対の枠材には、見付け方向内側に延びる見付け面部が形成され、前記機能面材における前記一対の枠材に対向する対向辺には、前記見付け面部に屋内側から当接して係止される脱落防止手段が設けられ、前記脱落防止手段は、前記機能面材の対向辺から見付け方向外側に延びて設けられる第１当接部と、この第１当接部から当該対向辺に沿った一方側に所定距離だけ離隔して設けられる第２当接部とを少なくとも有して構成され、前記第１当接部は、前記機能面材を前記枠体に取り付けた取付状態において、前記見付け面部に当接可能に構成され、前記第２当接部は、前記機能面材を前記枠体に対して着脱する際に当該機能面材における前記対向辺と交差する一方側の端辺を屋外側とし他方側の端辺を屋内側として傾斜させた傾斜状態において、前記見付け面部に当接可能に構成されていることを特徴とする。
【０００７】
ここで、本発明の建具としては、内倒し窓や内開き窓などのように面材が屋内側に回動して開放される開閉形式のものの他に、引違い窓や片引き窓、上げ下げ窓などのように面材がスライドして開放される開閉形式のものであってもよく、開放した面材が屋外側の機能面材と干渉しないものであれば適宜な開閉形式が適用可能である。さらに、機能面材としては、網戸に限らず、日射や屋外からの視線を遮蔽するためのルーバー等の遮蔽面材でもよいし、換気用の換気面材や防犯用の防犯面材でもよく、さらには窓の屋外面を装飾するためのものや広告用の看板に利用されるものなど機能面材の機能は特に限定されず、適宜な機能を有した機能面材とすることができる。
【０００８】
以上の本発明によれば、取付状態において枠材の見付け面部に当接可能な第１当接部に加え、着脱の際の傾斜状態において見付け面部に当接可能な第２当接部を備えて脱落防止手段が構成されるので、第２当接部の位置を適宜に設定することで着脱時の機能面材と面材との干渉を防止することができる。そして、着脱時においては第２当接部を見付け面部に当接させることで機能面材の脱落を防止し、取付状態においては第１当接部を見付け面部に当接させることで機能面材の脱落を防止することができる。従って、機能面材の脱落を確実に防止しつつ、着脱時における面材との干渉を防止して機能面材を円滑かつ確実に枠体に取り付けるまたは枠体から取り外すことができ、利便性を高めることができる。
【０００９】
この際、本発明の建具では、前記第２当接部は、前記第１当接部よりも所定距離だけ屋内側に位置して設けられ、前記脱落防止手段は、前記第１当接部と前記第２当接部とに渡って連続する第１連続部を有し、この第１連続部は、前記傾斜状態において、前記見付け面部に当接可能に構成されていることが好ましい。
このような構成によれば、第１当接部よりも所定距離だけ屋内側に位置して第２当接部を設けることで、着脱の際の傾斜状態において第２当接部を見付け面部に当接させた場合に、機能面材の一方側の端辺が屋外側に突出する突出量を大きくすることができ、機能面材と面材との干渉をより確実に防止することができる。さらに、第１当接部と第２当接部とに渡って連続する第１連続部を設けることで、着脱時に機能面材の傾斜角度を徐々に変化させた場合においても、第１連続部が見付け面部に当接することによって機能面材の脱落を確実に防止することができる。
【００１０】
また、本発明の建具では、前記脱落防止手段は、前記第２当接部よりも屋内側に設けられる第３当接部を有し、この第３当接部は、前記傾斜状態において、前記一対の枠材に交差する一方側の枠材における見込み面に見付け方向内側から当接可能に構成されていることが好ましい。
このような構成によれば、脱落防止手段に第３当接部を設け、傾斜状態において一方側の枠材の見込み面に第３当接部を当接させることで、枠体に取り付ける際に一方側の枠材に対する機能面材の位置決めができ、取り付け作業性を向上させることができる。
【００１１】
さらに、本発明の建具では、前記脱落防止手段は、前記第２当接部と前記第３当接部とに渡って連続する第２連続部を有し、この第２連続部は、前記取付状態において、前記一対の枠材に交差する一方側の枠材における見込み面に見付け方向内側から当接可能に構成されていることが好ましい。
このような構成によれば、取付状態において第２連続部を一方側の枠材の見込み面に当接させることで、前述の位置決め状態を維持したままで機能面材を枠体に取り付けることができ、取り付け作業性および取り付け時の位置決め精度を向上させることができる。
【００１２】
また、本発明の建具では、前記脱落防止手段は、前記第３当接部よりも屋内側に設けられる第４当接部を有し、この第４当接部は、前記取付状態において、前記一対の枠材に交差する一方側の枠材における見付け面に屋外側から当接可能に構成されていることが好ましい。
このような構成によれば、脱落防止手段に第４当接部を設け、取付状態において一方側の枠材の見付け面に第４当接部を当接させることで、枠体における見込み方向に沿った機能面材の位置決めができ、取り付けた状態での位置精度を向上させることができる。
【００１３】
さらに、本発明の建具では、前記脱落防止手段は、前記第１当接部と前記第２当接部とに渡って連続する第１連続部と、前記第２当接部と前記第３当接部とに渡って連続する第２連続部と、前記第３当接部と前記第４当接部とに渡って連続する第３連続部とが、互いに連続して一体に形成された脱落防止部材で構成され、この脱落防止部材が前記機能面材の対向辺に固定されていることが好ましい。
このような構成によれば、第１連続部、第２連続部および第３連続部が連続した一体の脱落防止部材を機能面材の対向辺に固定することで、対向辺に各部を形成する場合と比較して脱落防止手段を容易に構成することができるとともに、面材の開閉形式や開閉角度などに応じた脱落防止部材を準備しておけば、各種の建具に容易に対応させて取り付けることができる。
【図面の簡単な説明】
【００１４】
【図１】本発明の実施形態に係る建具を示す縦断面図である。
【図２】前記建具を示す横断面図である。
【図３】前記建具に設けられる機能面材を示す斜視図である。
【図４】前記機能面材の取付手順を説明する図である。
【図５】図４に続く前記機能面材の取付手順を説明する図である。
【図６】前記機能面材の取付手順を拡大して示す縦断面図である。
【図７】図６に続く前記機能面材の取付手順を拡大して示す縦断面図である。
【図８】図７に続く前記機能面材の取付手順を拡大して示す縦断面図である。
【図９】図８に続く前記機能面材の取付手順を拡大して示す縦断面図である。
【発明を実施するための形態】
【００１５】
以下、本発明の一実施形態に係る建具としての内倒し窓１を図面に基づいて説明する。
図１および図２において、内倒し窓１は、建物の外壁開口部に設けられて屋内空間と屋外空間とを仕切るものであって、外壁開口部の躯体に固定される枠体としての窓枠２と、この窓枠２に内倒し開閉自在に支持される面材としての障子３と、この障子３よりも屋外側にて窓枠２に取り付けられる機能面材としての網戸４とを備えて構成されている。窓枠２は、それぞれアルミ形材製の枠材である上枠５、下枠６、および左右の縦枠７を四周枠組みして形成され、障子３は、上框１１、下框１２および左右の縦框１３を四周框組みした内部にガラスパネル１４を嵌め込んで構成され、下框１２が下枠６の回動支持部６１に回動自在に支持され、障子３の上框１１側が屋内側に回動して開放されるようになっている。
【００１６】
上枠５は、図１に示すように、見込み方向（屋内外方向）の延びる上枠見込み面部５１と、この上枠見込み面部５１の屋外側端部から下方（見付け方向）に延びる上枠見付け面部５２とを有して形成され、上枠見付け面部５２の下端部屋内側には、気密材５３が取り付けられている。下枠６は、回動支持部６１の下側にて上下（見付け方向）に延びる下枠見付け面部６２と、この下枠見付け面部６２の下端部から見込み方向屋外側に延びる下枠見込み面部６３と、この下枠見込み面部６３よりも一段下がった位置で屋外側に下がり傾斜して延びる下枠水切り面部６４とを有して形成されている。左右の縦枠７は、それぞれ図２に示すように、見込み方向に延びる縦枠見込み面部７１と、この縦枠見込み面部７１の屋外側端部から見付け方向内側に延びる見付け面部としての縦枠見付け面部７２とを有して形成され、縦枠見付け面部７２の先端部屋内側には、気密材７３が取り付けられている。
【００１７】
網戸４は、図３にも示すように、上框４１、下框４２および左右の縦框４３を四周框組みした内部に防虫ネット４４を保持して構成されている。上框４１は、図１にも示すように、中空状の上框本体４１１と、この上框本体４１１の上面を構成するとともに屋外側に下がり勾配を有した段付き状の上面部４１２と、この上面部４１２の屋内側端縁から立ち上がる係止片部４１３とを有して形成されている。下框４２は、中空状の下框本体４２１と、この下框本体４２１の下面を構成するとともに屋内側に下がり勾配を有した段付き状の下面部４２２と、この下面部４２２の屋内側端縁から立ち下がる垂下片部４２３とを有して形成されている。また、縦框４３は、図２にも示すように、中空状の縦框本体４３１と、この縦框本体４３１の見付け方向外側端部（縦枠７側の端部）から屋内側に延びる延長片部４３２とを有して形成されている。
【００１８】
このような網戸４は、左右の縦枠７に対向する対向辺としての縦框４３に設けられる脱落防止部材（脱落防止手段）２０と、上框４１に設けられる係合部材３０とによって窓枠２に取り付けられる。この取付状態において、上框４１の係止片部４１３が上枠５の気密材５３に屋内側から当接するとともに、縦框４３の延長片部４３２が縦枠７の気密材７３に見付け方向内側から当接し、さらに下框４２の垂下片部４２３が下枠水切り面部６４にわずかな隙間を介して近接することで、網戸４が窓枠２の開口内部を略閉鎖して虫等の侵入が防止できるようになっている。ここで、係合部材３０は、上框本体４１１に固定される係合部材本体３１と、この係合部材本体３１から上方に突没自在に設けられるとともに上框４１の上面部４１２を貫通する係合突部３２とを有して構成され、係合突部３２と係止片部４１３とで上枠見付け面部５２を挟み込むことで、網戸４の上框４１が上枠５に対して移動不能に係合されるように構成されている。
【００１９】
また、網戸４は、図４、図５に示すように、障子３を屋内側に開放した状態において、一方側の端辺としての下框４２を屋外側に向け、かつ他方側の端辺としての上框４１を屋内側に向けるとともに、屋外側に下がり傾斜となるように障子３の上側かつ屋外側に沿う傾斜状態を経て窓枠２に取り付けられる（または取り外される）ようになっている。このような着脱の際に、脱落防止部材２０が縦枠見付け面部７２に屋内側から当接または摺接することで、網戸４の屋外側への脱落が防止できるように構成され、さらに取付状態において、脱落防止部材２０が縦枠見付け面部７２と、下枠見付け面部６２および下枠見込み面部６３とに当接することで、網戸４の下部が移動不能に位置決めされるように構成されている。以下、脱落防止部材２０の具体的な構成および作用を説明する。
【００２０】
脱落防止部材２０は、金属板材から折り曲げ加工等によって一体成形された部材であって、縦框本体４３１の屋内面に固定される固定片部２１と、この固定片部２１から屋内側に折れ曲がって延びる折曲片部２２と、この折曲片部２２の屋内側端縁に連続して見付け方向外側に突出する第１当接部としての突出片部２３と、この突出片部２３の下端縁に連続して下方かつ屋内側に傾斜して延びる第１連続部としての傾斜片部２４と、この傾斜片部２４の下端部に連続して屋内側に延びる第２連続部としての底片部２５と、この底片部２５の屋内側端部に連続して屋内側上方に傾斜して延びる第３連続部としての折返し片部２６とを有して形成されている。
【００２１】
固定片部２１は、縦框本体４３１の中空内部に設けられる裏板４３３に対して屋内側からビス２１Ａによって固定され、固定片部２１と裏板４３３とで縦框本体４３１の屋内面を挟持して締め付け固定されている。なお、裏板４３３は、ビス２１Ａとは別のビス４３３Ａによって予め縦框本体４３１の内部に固定されており、ビス２１Ａを外しても裏板４３３が脱落しないようになっている。また、折曲片部２２は、縦框４３の延長片部４３２に沿って設けられ、固定片部２１がビス止め固定された状態で折曲片部２２が延長片部４３２に当接することで、脱落防止部材２０が縦框４３に対して移動不能かつ回転不能に固定されるようになっている。
【００２２】
突出片部２３は、縦框４３の延長片部４３２よりも見付け方向外側に延びて設けられ、図２に示す取付状態において、縦枠７の気密材７３を介して縦枠見付け面部７２に屋内側から当接可能に設けられ、この当接によって網戸４の屋外側への移動が規制される、つまり突出片部２３によって網戸４の脱落が防止されるとともに、網戸４の下部が窓枠２に対して屋外方向に位置決めされるようになっている。また、取付状態において、図１に示すように、底片部２５は、下枠見込み面部６３に上方（見付け方向内側）から当接して載置され、これにより網戸４が上下方向に位置決めされるとともに、折返し片部２６は、その先端部２６Ａが下枠見付け面部６２に屋外側から当接し、これにより網戸４が屋内方向に位置決めされるようになっている。このような折返し片部２６の先端部２６Ａによって第４当接部が構成されている。
【００２３】
一方、網戸４を着脱する際の傾斜状態において、傾斜片部２４と底片部２５とが交差する角部２４Ａは、縦枠７の気密材７３を介して縦枠見付け面部７２に屋内側から当接可能に設けられ、この角部２４Ａによって第２当接部が構成されている。そして、角部２４Ａが縦枠見付け面部７２に当接する状態よりも網戸４の傾斜角度を大きく、つまり網戸４を立てた傾斜状態とすることで、傾斜片部２４が縦枠見付け面部７２に屋内側から当接可能となり、網戸４の傾斜角度をさらに大きくすることで、突出片部（第１当接部）２３が縦枠見付け面部７２に当接するようになっている。そして、角部２４Ａや傾斜片部２４、突出片部２３を縦枠見付け面部７２に当接させた傾斜状態のままで網戸４を下降させると、底片部２５と折返し片部２６とが交差する角部２５Ａが下枠見付け面部６２に上方から当接し、これにより傾斜状態の網戸４が上下方向に位置決めされ、この角部２５Ａによって第３当接部が構成されている。
【００２４】
以上の網戸４を窓枠２に取り付ける際の取付手順を図４、５および図６〜９に基づいて説明する。なお、網戸４を窓枠２から取り外す取外手順は、取付手順の逆の手順となるため、その説明を省略する。
先ず、図４(Ａ)に示すように、障子３を屋内側に開放した状態において、この障子３の上側から傾斜状態の網戸４の下框４２側を窓枠２の縦枠７間に挿入し、図４(Ｂ)に示すように、脱落防止部材２０の角部（第２当接部）２４Ａが縦枠見付け面部７２に屋内側から当接する位置まで、網戸４を屋外側に移動させる。
次に、図４(Ｃ)および図６に示すように、脱落防止部材２０の角部２４Ａを縦枠見付け面部７２（気密材７３）に摺接させて、網戸４の脱落を防止しつつ網戸４を下方に移動させ、この網戸４が障子３の上側（屋外側側面）に載置されるまで網戸４を下降させる。この際、脱落防止部材２０の角部２４Ａが縦枠見付け面部７２に当接することから、網戸４の下框４２の屋内側端部（垂下片部４２３）は、障子３の下框１２の屋外側端部よりも屋外側に位置し、これにより網戸４と障子３とで下框４２，１２同士が干渉しないようになっている。
【００２５】
次に、図５(Ａ)および図７に示すように、網戸４の上框４１側を屋外側に回動させて網戸４の傾斜角度を大きくし（立てて）、脱落防止部材２０の傾斜片部２４を縦枠見付け面部７２に当接させて、網戸４の脱落を防止しつつ網戸４をさらに下降させる。
次に、図５(Ｂ)および図８に示すように、網戸４をさらに屋外側に回動させることで、脱落防止部材２０の突出片部（第１当接部）２３の下端部が縦枠見付け面部７２に当接し、さらに網戸４を下降させることで、脱落防止部材２０の角部（第３当接部）２５Ａが下枠見込み面部６３に当接し、網戸４の脱落を防止しつつ網戸４の下降が停止される。
次に、図５(Ｃ)および図９に示すように、網戸４をさらに屋外側に回動させることで、脱落防止部材２０の突出片部（第１当接部）２３の全体が縦枠見付け面部７２に当接するとともに、脱落防止部材２０の底片部２５が下枠見込み面部６３に載置されて網戸４が位置決めされ、折返し片部２６の先端部（第４当接部）２６Ａが下枠見付け面部６２に当接して網戸４が見込み方向に位置決めされる。
この後、図１に示すように、係合部材３０の係合突部３２を上側にスライドさせて、この係合突部３２および上框４１の係止片部４１３を上枠５に係合させることで、窓枠２に対する網戸４の取付作業が完了する。
【００２６】
以上のような本実施形態によれば、網戸４の取り付け（または取り外し）に際し、脱落防止部材２０によって脱落が防止できるとともに、傾斜状態において、脱落防止部材２０の角部２４Ａ、傾斜片部２４および突出片部２３の順で縦枠見付け面部７２に当接させることで、網戸４の下框４２と障子３の下框１２との干渉を防止することができ、円滑かつ確実に網戸４の取付作業（または取外作業）を実施することができる。さらに、網戸４の取り付けに際して、脱落防止部材２０の角部２５Ａおよび底片部２５の順で下枠見込み面部６３に当接させることで、網戸４を上下方向に位置決めすることができ、取付作業をさらに円滑に実施することができる。そして、取付状態において、脱落防止部材２０の突出片部２３を縦枠見付け面部７２に当接させ、折返し片部２６の先端部２６Ａを下枠見付け面部６２に当接させることで、見込み方向についても自動的に網戸４を位置決めすることができる。
【００２７】
なお、本発明は、前記実施形態に限定されるものではなく、本発明の目的を達成できる他の構成等を含み、以下に示すような変形等も本発明に含まれる。
例えば、前記実施形態において、建具の一例として内倒し窓１を例示したが、本発明の建具は、左右いずれかの縦框１３側が屋内側に開閉可能な内開き窓であってもよいし、下框１２側が屋内側に開閉可能な窓であってもよい。さらに、本発明の建具は、面材が屋内側に回動して開放される開閉形式のものの他に、引違い窓や片引き窓、上げ下げ窓などのように面材がスライドして開放される開閉形式のものであってもよい。
また、前記実施形態において、機能面材として網戸４を例示したが、本発明における機能面材としては、網戸４に限らず、日射や屋外からの視線を遮蔽するためのルーバー等の遮蔽面材でもよいし、換気用の換気面材や防犯用の防犯面材等として利用可能な格子体などでもよく、さらには装飾用面材や広告用面材など、適宜な機能や用途を有した機能面材を採用することができる。
【００２８】
また、前記実施形態において、脱落防止手段は、第１当接部としての突出片部２３や、第１連続部としての傾斜片部２４、第２連続部としての底片部２５、第３連続部としての折返し片部２６等が折り曲げ加工等で一体成形された脱落防止部材２０で構成されていたが、脱落防止手段の構成は前記実施形態に限定されるものではない。すなわち、第１、第２、第３および第４の当接部を各々別体の部材で構成し、それぞれ個別に網戸４等の機能面材に取り付けてもよいし、これらの各当接部と第１、第２および第３の連続部とを各々別体の部材で構成し、それぞれ個別に機能面材に取り付けてもよい。さらには、各当接部や各連続部から任意のものを組み合わせて１つまたは複数の部材を形成し、これらによって脱落防止手段を構成してもよく、その組み合わせ方や部材の形態などは特に限定されない。
【００２９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３０】
１…内倒し窓（建具）、２…窓枠（枠体）、３…障子（面材）、４…網戸（機能面材）、５…上枠、６…下枠（一方側の枠材）、７…縦枠（一対の枠材）、２０…脱落防止部材、２３…突出片部（第１当接部）、２４…傾斜片部（第１連続部）、２４Ａ…角部（第２当接部）、２５…底片部（第２連続部）、２５Ａ…角部（第３当接部）、２６…折返し片部（第３連続部）、２６Ａ…先端部（第４当接部）、４１…上框（他方側の端辺）、４２…下框（一方側の端辺）、４３…縦框（対向辺）、６２…下枠見付け面部（見付け面）、６３…下枠見込み面部（見込み面）、７２…縦枠見付け面部（見付け面部）。
【図１】
2011190600.tif 000003
【図２】
2011190600.tif 000004
【図３】
2011190600.tif 000005
【図４】
2011190600.tif 000006
【図５】
2011190600.tif 000007
【図６】
2011190600.tif 000008
【図７】
2011190600.tif 000009
【図８】
2011190600.tif 000010
【図９】
2011190600.tif 000011